(57)【特許請求の範囲】
【請求項１】
ランドセルの収納部を上部から前面にわたって被覆する被せ蓋に取り付けられるランドセルカバーであって、
装飾体を任意の位置に着脱自在である連続した装飾領域を有し、
上記装飾体と上記装飾領域とは、面ファスナーを利用して相互に着脱自在であることを特徴とするランドセルカバー。
【請求項２】
ランドセルの収納部を上部から前面にわたって被覆する被せ蓋に取り付けられ、装飾体を任意の位置に着脱自在である連続した装飾領域を有するランドセルカバーと、
上記装飾領域に着脱自在な装飾体と、
の組み合わせ物であって、
上記装飾体と上記装飾領域とは、面ファスナーを利用して相互に着脱自在であることを特徴とする組み合わせ物。
【発明の詳細な説明】
【技術分野】
【０００１】
本発明は、装飾体を着脱自在としたランドセルカバーに関する。
【背景技術】
【０００２】
従来、ランドセルの被せ蓋に取り付けられるランドセルカバーは、ランドセルを汚れ、傷、雨水から保護するために利用されてきた。近年では、装飾性の面で使用者の要望に対応させるために、色や絵柄等でランドセルカバーのバリエーションの充実を図っている（例えば、特許文献１）。また、ボタンホールを複数設けて、このなかの所望のボタンホールに所望の装飾体を着脱自在としたランドセルカバーも知られている（例えば、特許文献２）。
【先行技術文献】
【特許文献】
【０００３】
【特許文献１】登録実用新案第３１３６８２２号公報
【特許文献２】特開２０１４−１２８３７５号公報
【発明の概要】
【発明が解決しようとする課題】
【０００４】
しかしながら、特許文献１の技術では、ランドセルカバーの絵柄等がランドセルカバー自体に印刷されていたり貼り付けられていたりするものであるため、使用者が自身で容易に変更できるものではない。
【０００５】
また、特許文献２の技術では、装飾体の取り付け位置はボタンホールが設けられている箇所に限定され、また、装飾体を取り付けていないボタンホール箇所では当該ボタンホールが露出したままであるため、ランドセルカバー全体におけるデザインについて、必ずしも使用者の要望を満足させるものではない。
【０００６】
本発明は、ランドセルカバー全体において使用者が望むデザインを実現し得るランドセルカバーを提供することを目的とする。
【課題を解決するための手段】
【０００７】
上記の課題を解決するために、本発明に係るランドセルカバーは、ランドセルの収納部を上部から前面にわたって被覆する被せ蓋に取り付けられるランドセルカバーであって、装飾体を任意の位置に着脱自在である装飾領域を有することを特徴とする。
【発明の効果】
【０００８】
本発明によれば、ランドセルカバー全体において使用者が望むデザインを実現し得るランドセルカバーを提供することができる。
【図面の簡単な説明】
【０００９】
【図１】本発明の一実施形態に係るランドセルカバーを取り付けたランドセルの斜視図である。
【図２】本発明の一実施形態に係るランドセルカバーをランドセルに取り付ける前の状態を示す斜視図である。
【図３】本発明の一実施形態に係るランドセルカバーの正面図である。
【図４】本発明の一実施形態に係るランドセルカバーの背面図である。
【図５】本発明の一実施形態に係るランドセルカバーのランドセルへの取り付け方法を説明するための斜視図である。
【図６】本発明の一実施形態に係るランドセルカバーのランドセルへの取り付け方法を説明するための要部拡大斜視図である。
【発明を実施するための形態】
【００１０】
本発明の一実施形態に係るランドセルカバーについて、図面に基づき以下に説明する。
【００１１】
図１は、本発明の一実施形態に係るランドセルカバーを取り付けたランドセルの斜視図である。なお、図１では、ランドセルカバーに装飾体が取り付けられた状態を示す。図２は、本発明の一実施形態に係るランドセルカバーをランドセルに取り付ける前の状態を示す斜視図である。
【００１２】
図１に示すように、本実施形態のランドセルカバー３０は、装飾体５０を任意の位置に着脱自在である装飾領域を有している。ランドセルカバー３０は、ランドセル１の被せ蓋４に取り付けられている。
【００１３】
ランドセル１は、図１に示すように、収納部２と、収納部２を上部から前面にわたって被覆する被せ蓋４と、被せ蓋４に連結された連結ベルト５（図５参照）と、一対の肩ベルト６（６ａ，６ｂ）と、持ち手７と、掛け金具８と、を備える。
【００１４】
収納部２は、箱状であって、ランドセル１を背負った際に使用者の背中側に位置する背板部２ａと、背板部２ａと間隔を開けて対向する前板部２ｂと、背板部２ａの側端と前板部２ｂの側端との間に介在する側板部２ｃ，２ｄと、底を塞ぐ底板部（図示しない）とから構成されており、上部に開口部２ｅを有する。収納部２は、内部に教科書などを収容するための空間が形成されている。各板部は、例えば、板状の芯材の表面を、皮革（天然皮革、合成皮革または人工皮革など）で覆うことで構成されている。
【００１５】
被せ蓋４は、図５に示すように、その一端が背板部２ａの上端に連結されている。被せ蓋４は、図１に示すように、収納部２の開口部２ｅおよび前板部２ｂの外面を覆いながら、他端が底板部近傍まで延びている。被せ蓋４は、例えば、可撓性を有する芯材の表面を皮革で覆うことで構成されており、収納部２に被せた状態では、収納部２の外形に沿って弧を描くように変形し、収納部２から離した状態（蓋を開けた状態）では、ほぼ平らな板状に変形する。被せ蓋４において、収納部２に被せた際に露出する面を外面Ｓ４ａ、収納部２に被せた際に露出しない面を内面Ｓ４ｂとする。
【００１６】
連結ベルト５は、図２に示すように、略Ｙ字状であって、二股に分かれた上端側がそれぞれ被せ蓋４に連結されている。連結には縫い付けや鋲による固定など種々の方法が採られる。下端には、収納部２の底板部の中央近傍に取り付けられた錠前（図示しない）に着脱可能に留め付けるための掛止板５ａが設けられている。連結ベルト５は、例えば、可撓性を有する芯材の表面を皮革で覆うことで構成されており、収納部２の外形に沿って適宜変形する。
【００１７】
肩ベルト６は、収納部２の背板部２ａと底板部とに接続されている。肩ベルト６は、例えば、可撓性を有する芯材の表面を皮革で覆うことで構成されており、身体に沿って比較的自由に変形できるようになっている。
【００１８】
持ち手７は、両端部が収納部２の背板部２ａに接続されており、背板部２ａの上方に突出している。持ち手７は、例えば、ランドセル１を持ち運ぶ際の持ち手として利用されるものである。
【００１９】
掛け金具８は、両端部が収納部２の背板部２ａに接続されており、背板部２ａの上方に突出している。掛け金具８は、例えば、ランドセル１を壁や机に設けたピン等に掛けて吊すことを可能にするものである。
【００２０】
なお、ランドセル１は、ランドセルカバー３０が取り付けられるランドセルの一例である。例えば、ランドセルカバー３０は、持ち手７や掛け金具８を備えていないランドセルにも取り付けることができる。
【００２１】
次いで、ランドセルカバー３０の具体的な説明をする。図３は、本発明の一実施形態に係るランドセルカバーの正面図である。図４は、本発明の一実施形態に係るランドセルカバーの背面図であり、（ａ）は固定用シート３４を第１裏地３２と第２裏地３３との間に収容した状態を示し、（ｂ）は固定用シート３４を第１裏地３２と第２裏地３３との間から出した状態を示す。
【００２２】
ランドセルカバー３０は、取り付けられた際に被せ蓋４の全ての外面Ｓ４ａを被覆するシート状のものである。図３および図４に示すように、ランドセルカバー３０は、ランドセル１の被せ蓋４に対応する形状であり、被せ蓋４の幅寸法よりも若干幅広の寸法を有し、長手方向の長さが被せ蓋４よりも若干長い矩形状の被覆部３０ａと、被覆部３０ａの一端３０ｄから延び、肩ベルト６の上端と係合可能な固定部３０ｂとを備える。なお、ランドセルカバー３０において、被せ蓋４に取り付けられて被せ蓋４を閉じた際に外側に露出する面をおもて面（図３）、被せ蓋４に取り付けられて被せ蓋４を閉じた際に外側に露出する面をうら面（図４）とする。
【００２３】
図３および図４に示すように、ランドセルカバー３０は、被せ蓋４に取り付けられて被せ蓋４を閉じた際に外側に露出する表地３１と、その裏側に重ねられた第１裏地３２と、さらに第１裏地３２側に重ねられた第２裏地３３と、を備える。ランドセルカバー３０は、全周端部に沿って帯状部材３６が取り付けられ、表地３１と、第１裏地３２と、第２裏地３３とが、表地３１側および第１裏地３２・第２裏地３３側から縫着されている。
【００２４】
表地３１は、雌型の面ファスナーで形成されている。面ファスナーの基材と第１裏地３２とが対向しており、面ファスナーの起毛材がランドセルカバー３０のおもて面側に露出している。表地３１は、無地であってもよいし、基材または起毛材に模様が施されていてもよい。無地である場合には、ランドセルカバー３０のデザインに影響されずに、装飾体５０によってランドセルカバー３０のデザインをアレンジすることができる。模様が施されていている場合、当該模様と装飾体５０とによってランドセルカバー３０全体で一体的なデザインとすることができる。
【００２５】
第１裏地３２は、表地３１と略同一の寸法を有する。第１裏地３２の材質は特に限定されず、例えば、サテン、タフタ、ポリエステル、キュプラ、綿、麻等で形成される。第１裏地３２は、無地であってもよいし、模様が施されていてもよい。
【００２６】
第２裏地３３は、略Ｈ型であり、第１裏地３２の幅寸法と略同一の幅寸法を有し、長手方向の長さが被覆部３０ａよりも短い。第２裏地３３は、被覆部３０ａの他端３０ｃ側に切欠き３３ａを有し、第１裏地３２と縫着されることによって、ランドセル１の連結ベルト５を通す孔部３７を形成している。孔部３７は、連結ベルト５の最も幅広な部分の寸法よりも若干広く幅方向に伸びて略矩形状に開口している。また、第２裏地３３は、被覆部３０ａの一端３０ｄ側に切欠き３３ｂを有する。切欠き３３ｂを有することによって、ランドセル１にランドセルカバー３０が取り付けられた際に、被せ蓋４の内面Ｓ４ｂに設けられた時間割表がランドセルカバー３０によって覆われるのを防ぐことができる（図５参照）。第２裏地３３の材質は特に限定されず、例えば、サテン、タフタ、ポリエステル、キュプラ、綿、麻等で形成される。第２裏地３３は、無地であってもよいし、模様が施されていてもよい。
【００２７】
帯状部材３６は、雌型の面ファスナーで形成されている。面ファスナーの基材が内側になるよう取り付けられており、面ファスナーの起毛材がランドセルカバー３０の外面に露出している。帯状部材３６は、無地であってもよいし、基材または起毛材に模様が施されていてもよい。なお、帯状部材３６は、面ファスナー以外の材質で形成されていてもよい。面ファスナーで形成されている場合には、ランドセルカバー３０のおもて面における表地３１の材質との一体性があり、また、帯状部材３６にも装飾体５０を取り付けることが可能となる。
【００２８】
ランドセルカバー３０は、図４に示すように、第１裏地３２側の他端３０ｃ側に固定用シート３４を備える。固定用シート３４は、幅寸法が孔部３７よりも短く、長手方向の長さが孔部３７よりも長い。固定用シート３４は、一端が帯状部材３６と第１裏地３２との間に差し込まれて縫着されており、他端は第１裏地３２と第２裏地３３との間に収容した際に第２裏地３３と対向する面に面ファスナー３４ａを備えている。面ファスナー３４ａは、縫着または接着剤等による貼着等によって第２裏地３３に取り付けられている。面ファスナー３４ａは、第２裏地３３の対応する位置に縫着または貼着等によって取り付けられた面ファスナー３３ｃと着脱自在となっている。面ファスナー３３ｃが雌型であり且つ面ファスナー３４ａが雄型であってもよいし、面ファスナー３３ｃが雄型であり且つ面ファスナー３４ａが雌型であってもよい。固定用シート３４の材質は特に限定されず、例えば、サテン、タフタ、ポリエステル、キュプラ、綿、麻等で形成される。あるいは、固定用シート３４は面ファスナーで形成されていてもよく、その場合、面ファスナーの起毛材が面ファスナー３３ｃと対向するように配置され、面ファスナー３４ａは不要である。
【００２９】
ランドセルカバー３０は、図４に示すように、第１裏地３２側の一端３０ｄと第２裏地３３との間に差込シート３５を備える。差込シート３５は、第１裏地３２の幅寸法と略同一の幅寸法を有し、長手方向の長さが第１裏地３２側の一端３０ｄと第２裏地３３との間の長さよりも短い矩形状である。差込シート３５は、両端が帯状部材３６と第１裏地３２との間に差し込まれて縫着されている。差込シート３５の材質は特に限定されないが、例えば、伸縮性素材で形成される。
【００３０】
図３および図４に示すように、ランドセルカバー３０の固定部３０ｂには、取り付けられた際にランドセル１の肩ベルト６ａ，６ｂ、持ち手７および掛け金具８を通すための係止孔３８が形成されている。固定部３０ｂの一端３０ｅ側には、連結部３９を有する。連結部３９では、表地３１と第１裏地３２と帯状部材３６とが縫着されたものが重なっている。連結部３９の一端３９ｂと他端３９ｃとの間の第１裏地３２側に、雄型の面ファスナー３９ａを備える。連結部３９では、面ファスナー３９ａと表地３１とが着脱自在となっている。
【００３１】
図３に示すように、被覆部３０ａのおもて面は面ファスナーで形成されており、被覆部３０ａのおもて面全体が、装飾体５０を任意の位置に着脱自在である装飾領域となっている。この装飾領域は、装飾体５０における取り付け部よりも面積が大きい連続した領域となっており、装飾体５０を任意の位置に取り付けることが可能であるため、使用者が望むデザインを実現することができる。
【００３２】
ランドセルカバー３０に取り付けられる装飾体５０は、ランドセルカバー３０への取り付け部として雄型の面ファスナーを備えており、ランドセルカバー３０の被覆部３０ａの装飾領域に着脱自在である。装飾体５０は、ランドセルカバー３０の被覆部３０ａに取り付けられる程度の大きさである。装飾体５０は、平面的なものであってもよいし、立体的なものであってもよい。装飾体５０としては、例えば、ワッペンなどの装飾板、チェーン、ファー、スタッズ等が挙げられるが、これらに限らず、所望の物品に取り付け部として雄型の面ファスナーを設けることによって、装飾体５０とすることができる。また、反射機能や発光機能を有する装飾体５０を取り付けることによって、装飾性の面に加えて安全性の面も考慮したものとすることができる。
【００３３】
装飾体５０における雄型の面ファスナーは、例えば、縫着または接着剤等による貼着等によって設ければよい。ワッペンなどの装飾板では、例えば、裏面に、雄型の面ファスナーが縫着または貼着等によって設けられる。チェーンでは、例えば、一方の端部または両端部それぞれに、雄型の面ファスナーが貼着等によって設けられる。ファーでは、例えば、雄型の面ファスナーが貼着等によって設けられる。スタッズでは、例えば、スタッズの底面部に雄型の面ファスナーが貼着等によって設けられる。
【００３４】
次いで、ランドセルカバー３０の被せ蓋４への取り付け方法の具体的な説明をする。図５は、本発明の一実施形態に係るランドセルカバーのランドセルへの取り付け方法を説明するための斜視図である。図６は、本発明の一実施形態に係るランドセルカバーのランドセルへの取り付け方法を説明するための要部拡大斜視図である。
【００３５】
図５に示すように、被せ蓋４を連結ベルト５の掛止板５ａから順に一端３０ｄから他端３０ｃに向かって差込シート３５と第１裏地３２との間を通過させ、続いて面ファスナー３３ｃと面ファスナー３４ａとが離された状態で第２裏地３３と第１裏地３２との間を通過させ、続いて掛止板５ａおよび連結ベルト５を孔部３７から外方へ通過させる。次いで、面ファスナー３４ａを面ファスナー３３ｃに固定する。これにより、孔部３７から掛止板５ａおよび連結ベルト５が一端３０ｄ方向へ抜けてしまうのを防ぐことができる。その後、図６に示すように、ランドセルカバー３０の連結部３９における面ファスナー３９ａと表地３１とが離れされた状態で、連結部３９の一端３９ｂおよび他端３９ｃを肩ベルト６ａ，６ｂの上端に回り込ませてから面ファスナー３９ａを表地３１に固定することによって、被せ蓋４にランドセルカバー３０を取り付けることができる。
【００３６】
装飾体５０をランドセルカバー３０に取り付けるタイミングは任意である。装飾体５０をランドセルカバー３０に取り付けた後に、ランドセルカバー３０をランドセル１に取り付けてもよいし、ランドセルカバー３０をランドセル１に取り付けた後に、装飾体５０をランドセルカバー３０に取り付けてもよい。ランドセルカバー３０と装飾体５０との着脱は、面ファスナーを利用している。すなわち、ランドセルカバー３０の装飾領域と装飾体５０とは、面ファスナーを利用して相互に着脱自在である。そのため、ランドセルカバー３０をランドセル１に取り付けた状態であっても、ランドセルカバー３０に対する装飾体５０の着脱を容易に行うことができる。
【００３７】
雄型の面ファスナーと雌型の面ファスナーとが接合された後には、これを再び分離させると必ず剥離音を生じるため、ランドセルカバー３０から装飾体５０を不正に剥がそうとすると、直ちに使用者はその行為に気付くことができる。
【００３８】
また、本発明はランドセルに直接装飾体を取り付けるものではないため、ランドセルが劣化する虞がなく、また、ランドセルカバーによってランドセルを傷や汚れから保護することができる。また、装飾を行わずにランドセルを使用したい場合には、ランドセルカバーごと取り外すことができる。また、ランドセルの被せ蓋の形状やサイズはバリエーションが少なく、また、流行の移り変わりが比較的ゆっくりであるため、１つのランドセルカバーを兄弟姉妹で共有したり、おさがりで使用したりすることが比較的容易であり、装飾体を好みや流行に応じて自由に変えるだけで、異なるデザインが施されたランドセルカバーとして長く使用することができる。
【００３９】
各部材における面ファスナーの組み合わせにおいて、雄雌は逆であってもよい。また、面ファスナーは、雄雌の区別がないものを用いてもよい。雄雌の区別がある面ファスナーを用いる場合、ランドセルカバー３０のおもて面における面ファスナーは、雌型であることが好ましい。雌型の方が雄型よりも肌触りが柔らかく、装飾領域のうち装飾体５０が取り付けられていない部分に触れた際の感触が雄型である場合よりも優れるからである。また、固定用シート３４が面ファスナーで形成されている場合も、感触の観点から、雄雌の区別がある面ファスナーを用いる場合、固定用シート３４が雌型であることが好ましい。
【００４０】
被覆部３０ａのおもて面全体が、装飾体５０を任意の位置に着脱自在である装飾領域となっている例を示したが、被覆部３０ａにおける装飾領域の面積はこれに限られない。一例において、装飾領域の面積は、好ましくは被覆部３０ａの３０％以上、より好ましくは５０％以上、さらに好ましくは８０％以上である。
【００４１】
固定部３０ｂのおもて面も面ファスナーで形成されている例を示したが、固定部３０ｂのおもて面の材質はこれに限られない。固定部３０ｂは、例えば、第１裏地３２または第２裏地３３等と同様の材質で形成されてもよい。ランドセルカバー３０の製造の容易性の観点からは、おもて面において被覆部３０ａと固定部３０ｂとが一体的に形成されている（それゆえ、おもて面において固定部３０ｂは被覆部３０ａと同じ材質である）ことが好ましい。
【００４２】
装飾体と装飾領域との着脱は、面ファスナーを利用したものに限定されず、例えば、粘着式のものまたはマグネット等を利用してもよい。
【００４３】
このように、本発明に係るランドセルカバーは、ランドセルの収納部を上部から前面にわたって被覆する被せ蓋に取り付けられるものであって、装飾体を任意の位置に着脱自在である装飾領域を有する。本発明によれば、ランドセルカバー全体において使用者が望むデザインを実現し得るランドセルカバーを提供することができる。
【符号の説明】
【００４４】
１    ランドセル
２    収納部
４    被せ蓋
５    連結ベルト
６    肩ベルト
７    持ち手
８    掛け金具
３０  ランドセルカバー
３１  表地
３２  第１裏地
３３  第２裏地
３４  固定用シート
３５  差込シート
３６  帯状部材
３７  孔部
３８  係止孔
３９  連結部
５０  装飾体
【要約】      （修正有）【課題】ランドセルカバー全体において使用者が望むデザインを実現し得るランドセルカバーを提供すること。【解決手段】本発明のランドセルカバー３０は、ランドセル１の収納部を上部から前面にわたって被覆する被せ蓋に取り付けられるものであって、装飾体５０を任意の位置に着脱自在である装飾領域を有することを特徴としており、一実施形態において、装飾体５０と装飾領域とは、面ファスナーを利用して相互に着脱自在となっている。【選択図】図１【図１】
0006732268.tif 000002
【図２】
0006732268.tif 000003
【図３】
0006732268.tif 000004
【図４】
0006732268.tif 000005
【図５】
0006732268.tif 000006
【図６】
0006732268.tif 000007